(57)【要約】【課題】手間な設定を行うことなく、聴取者の位置の変更に追随して音場を変更することができる音場制御装置を提供すること。【解決手段】人体検出部２０からの信号によって、聴取者の位置を特定する人体検出処理部４０と、人体検出処理部４０で特定した聴取者の位置によって音場中心位置を決定する音場決定部５０と、複数のスピーカ１０からの放音到達時間が音場中心位置で同じとなるようにスピーカ１０からの音の遅れ時間を調整する位相調整部３１と、複数のスピーカ１０からの音量が音場中心位置で同じとなるようにそれぞれのスピーカ１０の音圧レベルを調整する音圧調整部３２とを備え、位相調整部３１と音圧調整部３２とでサラウンド調整部３０を構成し、複数のサーモパイル素子２１、２２、２３、２４、２５が聴取者の位置の変更を検出することで、サラウンド調整部３０によって音場を制御することを特徴とする。【選択図】        図１
2010268288.tif 000002
【特許請求の範囲】
【請求項１】
聴取者の存在を複数のサーモパイル素子によって検出する人体検出部と、前記人体検出部で検出した聴取者に応じて音場を制御するサラウンド調整部とを有し、前記サラウンド調整部によってサラウンド音場を形成する複数のスピーカの出力を調整する音場制御装置であって、
前記人体検出部からの信号によって、前記聴取者の位置を特定する人体検出処理部と、
前記人体検出処理部で特定した聴取者の位置によって音場中心位置を決定する音場決定部と、
複数の前記スピーカからの放音到達時間が前記音場中心位置で同じとなるように前記スピーカからの音の遅れ時間を調整する位相調整部と、
複数の前記スピーカからの音量が前記音場中心位置で同じとなるようにそれぞれの前記スピーカの音圧レベルを調整する音圧調整部とを備え、
前記位相調整部と前記音圧調整部とで前記サラウンド調整部を構成し、複数の前記サーモパイル素子が前記聴取者の位置の変更を検出することで、前記サラウンド調整部によって前記音場を制御することを特徴とする音場制御装置。
【請求項２】
前記人体検出処理部では、複数の前記聴取者のそれぞれの位置を判別し、
前記音場決定部では、前記人体検出処理部で判別した前記聴取者のそれぞれの位置に応じて前記音場中心位置を決定することを特徴とする請求項１に記載の音場制御装置。
【請求項３】
前記人体検出部において、隣り合う２つの検出領域で前記聴取者を検出した場合には、前記音場決定部では、隣り合う２つの前記検出領域の間の位置を前記音場中心位置と決定することを特徴とする請求項２に記載の音場制御装置。
【請求項４】
前記人体検出処理部では、複数の前記聴取者のそれぞれの位置を判別し、
前記人体検出処理部で判別した前記聴取者のそれぞれの位置に応じて最適聴取範囲の広さを変更する最適聴取範囲決定部を設け、
前記サラウンド調整部として最適聴取範囲調整部を備え、
前記最適聴取範囲調整部では、前記最適聴取範囲決定部で決定された前記最適聴取範囲の広さとなるように前記スピーカからの放音を調整することを特徴とする請求項１に記載の音場制御装置。
【請求項５】
前記人体検出部において、隣り合う２つの検出領域で前記聴取者を検出した場合には、前記最適聴取範囲決定部では、前記検出領域が一つの場合よりも前記最適聴取範囲を広くすることを特徴とする請求項４に記載の音場制御装置。
【請求項６】
複数の前記サーモパイル素子を水平方向に配列し、それぞれの前記サーモパイル素子でそれぞれ異なる位置の温度を検出し、前記聴取者の存在する領域の温度をサーミスタで検出し、それぞれの前記サーモパイル素子に対する温度補正を前記サーミスタで検出される室温で行うことを特徴とする請求項１に記載の音場制御装置。
【請求項７】
前記人体検出部からの入力が発生しない時間をカウントするタイマー部を設け、前記タイマー部において所定の時間をカウントすると前記スピーカからの放音を停止、又は低減することを特徴とする請求項１に記載の音場制御装置。
【発明の詳細な説明】
【技術分野】
【０００１】
本発明は、例えば一般家屋の空間において、サラウンドオーディオを楽しめる音場制御装置に関する。
【背景技術】
【０００２】
近年では、ＤＶＤや地上波の普及によってマルチチャンネルサラウンド再生が一般家庭でも手軽に楽しめるようになっている。特に、５．１ｃｈサラウンド再生では、様々な空間の音場表現が可能である。
しかし、本格的にサラウンド放送を聴くためには、テレビジョンとは別にホームシアターシステムやＡＶＲ＋スピーカシステムが必要である。また、リアスピーカの設置が必要となると、限られた生活空間には不向きである。
一方で、フロントスピーカのみを用いた擬似的なサラウンド機能も普及しているが、擬似的サラウンド機能においても、左右のフロントスピーカの中心で視聴しなければ、サラウンドを楽しむことはできない。
このような状況の中で、視聴位置に応じて適正なサラウンド音場を形成する方法が提案されている（特許文献１、特許文献２）。
特許文献１や特許文献２では、視聴位置の変更に応じてサラウンド音場を変更できるとともに、反射音なども考慮した本格的なサラウンド音場を実現することができる。
【先行技術文献】
【特許文献】
【０００３】
【特許文献１】特開２００６−３４０３０２号公報
【特許文献２】特開２００９−０２７６０３号公報
【発明の概要】
【発明が解決しようとする課題】
【０００４】
しかし、特許文献１で提案されている方法では、視聴位置に設置したマイクロフォンで収音し、収音したデータを解析するものであり、本格的なサラウンド音場を実現できる一方で、視聴位置の変更に伴う作業は負担の掛かる方法であり、一般家庭で対応するには困難である。
また、特許文献２では、この再設定の手間は低減されているものの、初期設定にかなりの負担が掛かるものである。
【０００５】
そこで、本発明は、手間な設定を行うことなく、聴取者の位置の変更に追随して音場を変更することができる音場制御装置を提供することを目的とする。
【課題を解決するための手段】
【０００６】
請求項１記載の本発明の音場制御装置は、聴取者の存在を複数のサーモパイル素子によって検出する人体検出部と、前記人体検出部で検出した聴取者に応じて音場を制御するサラウンド調整部とを有し、前記サラウンド調整部によってサラウンド音場を形成する複数のスピーカの出力を調整する音場制御装置であって、前記人体検出部からの信号によって、前記聴取者の位置を特定する人体検出処理部と、前記人体検出処理部で特定した聴取者の位置によって音場中心位置を決定する音場決定部と、複数の前記スピーカからの放音到達時間が前記音場中心位置で同じとなるように前記スピーカからの音の遅れ時間を調整する位相調整部と、複数の前記スピーカからの音量が前記音場中心位置で同じとなるようにそれぞれの前記スピーカの音圧レベルを調整する音圧調整部とを備え、前記位相調整部と前記音圧調整部とで前記サラウンド調整部を構成し、複数の前記サーモパイル素子が前記聴取者の位置の変更を検出することで、前記サラウンド調整部によって前記音場を制御することを特徴とする。
請求項２記載の本発明は、請求項１に記載の音場制御装置において、前記人体検出処理部では、複数の前記聴取者のそれぞれの位置を判別し、前記音場決定部では、前記人体検出処理部で判別した前記聴取者のそれぞれの位置に応じて前記音場中心位置を決定することを特徴とする。
請求項３記載の本発明は、請求項２に記載の音場制御装置において、前記人体検出部において、隣り合う２つの検出領域で前記聴取者を検出した場合には、前記音場決定部では、隣り合う２つの前記検出領域の間の位置を前記音場中心位置と決定することを特徴とする。
請求項４記載の本発明は、請求項１に記載の音場制御装置において、前記人体検出処理部では、複数の前記聴取者のそれぞれの位置を判別し、前記人体検出処理部で判別した前記聴取者のそれぞれの位置に応じて最適聴取範囲の広さを変更する最適聴取範囲決定部を設け、前記サラウンド調整部として最適聴取範囲調整部を備え、前記最適聴取範囲調整部では、前記最適聴取範囲決定部で決定された前記最適聴取範囲の広さとなるように前記スピーカからの放音を調整することを特徴とする。
請求項５記載の本発明は、請求項４に記載の音場制御装置において、前記人体検出部において、隣り合う２つの検出領域で前記聴取者を検出した場合には、前記最適聴取範囲決定部では、前記検出領域が一つの場合よりも前記最適聴取範囲を広くすることを特徴とする。
請求項６記載の本発明は、請求項１に記載の音場制御装置において、複数の前記サーモパイル素子を水平方向に配列し、それぞれの前記サーモパイル素子でそれぞれ異なる位置の温度を検出し、前記聴取者の存在する領域の温度をサーミスタで検出し、それぞれの前記サーモパイル素子に対する温度補正を前記サーミスタで検出される室温で行うことを特徴とする。
請求項７記載の本発明は、請求項１に記載の音場制御装置において、前記人体検出部からの入力が発生しない時間をカウントするタイマー部を設け、前記タイマー部において所定の時間をカウントすると前記スピーカからの放音を停止、又は低減することを特徴とする。
【発明の効果】
【０００７】
本発明によれば、聴取者の位置をサーモパイル素子にて検出し、聴取者の位置の変更に応じてサラウンド調整部によって音場が制御されるので、視聴場所を変えてもサラウンド音場を継続して楽しむことができる。
【図面の簡単な説明】
【０００８】
【図１】本発明の一実施例における音場制御装置の機能実現のためのブロック図
【図２】いずれか一つのサーモパイル素子が聴取者を検出した場合のサラウンド調整方法を示す図
【図３】隣り合う２つの領域で聴取者を検出した場合のサラウンド調整方法を示す図
【図４】隣り合う３つの領域で聴取者を検出した場合のサラウンド調整方法を示す図
【図５】隣り合う４つの領域で聴取者を検出した場合のサラウンド調整方法を示す図
【図６】隣り合う５つの領域で聴取者を検出した場合のサラウンド調整方法を示す図
【図７】隣り合わない２つの領域で聴取者を検出した場合のサラウンド調整方法を示す図
【図８】聴取者として３名を検出した場合のサラウンド調整方法を示す図
【図９】隣り合う３つの領域と、この３つの領域から離れた領域で聴取者を検出した場合のサラウンド調整方法を示す図
【図１０】全てのサーモパイル素子が聴取者を検出しない場合のサラウンド調整方法を示す図
【図１１】音場決定部に基づく位相調整部と音圧調整部での調整方法を示す図
【発明を実施するための形態】
【０００９】
本発明の第１の実施の形態による音場制御装置は、人体検出部からの信号によって、聴取者の位置を特定する人体検出処理部と、人体検出処理部で特定した聴取者の位置によって音場中心位置を決定する音場決定部と、複数のスピーカからの放音到達時間が音場中心位置で同じとなるようにスピーカからの音の遅れ時間を調整する位相調整部と、複数のスピーカからの音量が音場中心位置で同じとなるようにそれぞれのスピーカの音圧レベルを調整する音圧調整部とを備え、位相調整部と音圧調整部とでサラウンド調整部を構成し、複数のサーモパイル素子が聴取者の位置の変更を検出することで、サラウンド調整部によって音場を制御するものである。本実施の形態によれば、聴取者の位置をサーモパイル素子にて検出し、聴取者の位置の変更に応じてサラウンド調整部によって音場が制御されるので、視聴場所を変えてもサラウンド音場を継続して楽しむことができる。
本発明の第２の実施の形態は、第１の実施の形態による音場制御装置において、人体検出処理部では、複数の聴取者のそれぞれの位置を判別し、音場決定部では、人体検出処理部で判別した聴取者のそれぞれの位置に応じて音場中心位置を決定するものである。本実施の形態によれば、聴取者が複数であってもサラウンド音場を楽しむことができる。
本発明の第３の実施の形態は、第２の実施の形態による音場制御装置において、人体検出部において、隣り合う２つの検出領域で聴取者を検出した場合には、音場決定部では、隣り合う２つの検出領域の間の位置を音場中心位置と決定するものである。本実施の形態によれば、設置するサーモパイル素子の数よりも多くの視聴領域に区分してサラウンド調整を実現することができる。
本発明の第４の実施の形態は、第１の実施の形態による音場制御装置において、人体検出処理部では、複数の聴取者のそれぞれの位置を判別し、人体検出処理部で判別した聴取者のそれぞれの位置に応じて最適聴取範囲の広さを変更する最適聴取範囲決定部を設け、サラウンド調整部として最適聴取範囲調整部を備え、最適聴取範囲調整部では、最適聴取範囲決定部で決定された最適聴取範囲の広さとなるようにスピーカからの放音を調整するものである。本実施の形態によれば、複数の聴取者の位置に応じて最適聴取範囲の広さを変更することで、複数の聴取者にもサラウンド音場を楽しんでもらうことができる。
本発明の第５の実施の形態は、第４の実施の形態による音場制御装置において、人体検出部において、隣り合う２つの検出領域で聴取者を検出した場合には、最適聴取範囲決定部では、検出領域が一つの場合よりも最適聴取範囲を広くするものである。本実施の形態によれば、二人の聴取者に対してサラウンド音場を形成することができる。
本発明の第６の実施の形態は、第１の実施の形態による音場制御装置において、複数のサーモパイル素子を水平方向に配列し、それぞれのサーモパイル素子でそれぞれ異なる位置の温度を検出し、聴取者の存在する領域の温度をサーミスタで検出し、それぞれのサーモパイル素子に対する温度補正をサーミスタで検出される室温で行うものである。本実施の形態によれば、サーミスタによって温度補正を行うことで室温上昇による誤検出を防止することができる。
本発明の第７の実施の形態は、第１の実施の形態による音場制御装置において、人体検出部からの入力が発生しない時間をカウントするタイマー部を設け、タイマー部において所定の時間をカウントするとスピーカからの放音を停止、又は低減するものである。本実施の形態によれば、聴取者がオーディオを消し忘れて退室した場合などに、スピーカからの放音を停止、又は低減することで省電力を図れるとともに騒音防止をも図ることができる。
【実施例】
【００１０】
以下に、本発明の音場制御装置の一実施例について説明する。
図１は本発明の一実施例における音場制御装置の機能実現のためのブロック図である。
例えば一般家庭の部屋である聴取領域は、複数のスピーカ１０によってサラウンド音場を形成している。ここで、スピーカ１０は、図示のように少なくとも２つ有し、２つのスピーカ１０は所定間隔を空けて配置される。なお、３つ以上のスピーカ１０をフロントに配置したものや、リア側にスピーカ１０を追加してもよい。
本実施例における音場制御装置は、聴取者の存在を検出する人体検出部２０と、人体検出部で検出した聴取者に応じて複数のスピーカ１０の出力を制御するサラウンド調整部３０と、人体検出部２０からの信号によって聴取者の位置を特定する人体検出処理部４０と、人体検出処理部４０で特定した聴取者の位置が音場中心となるように音場中心位置を決定する音場決定部５０と、人体検出処理部４０で判別した聴取者のそれぞれの位置に応じて最適聴取範囲の広さを変更する最適聴取範囲決定部６０とを有している。
【００１１】
人体検出部２０は、３つ以上の複数のサーモパイル素子２１、２２、２３、２４、２５によって構成される。図示の場合には、５つのサーモパイル素子２１、２２、２３、２４、２５を水平方向に配列してユニットとして構成している。そして、サーモパイル素子２１は視聴領域のＡ領域を、サーモパイル素子２２は視聴領域のＢ領域を、サーモパイル素子２３は視聴領域のＣ領域を、サーモパイル素子２４は視聴領域のＤ領域を、サーモパイル素子２５は視聴領域のＥ領域をそれぞれの検出領域としている。それぞれのサーモパイル素子２１、２２、２３、２４、２５の検出領域は、それぞれが異なる領域となるように設定している。それぞれの領域は、使用される環境をあらかじめ想定し、ユニット化した人体検出部２０から、奥行きが例えば３ｍ〜１０ｍの距離で、幅方向にそれぞれの領域を設定している。なお、それぞれの領域は、一部が重なるように設定してもよい。本実施例では、それぞれの領域が重ならないように設定し、更にはそれぞれの領域間には、未検知領域を設けている。このような未検知領域を設けることで、聴取者が一人にもかかわらず、複数領域にまたがって聴取者を検出することを防止できる。
【００１２】
サラウンド調整部３０では、デコーダ７２から出力された信号を、位相調整部３１、音圧調整部３２、及び最適聴取範囲調整部３３によって調整することで、視聴領域における音場を制御する。サラウンド調整部３０には、あらかじめ、それぞれのスピーカ１０の位置と、人体検出部２０の位置に関するデータが記憶されている。なお、フロントに配置する２つのスピーカ１０と人体検出部２０とがユニット化されており、２つのスピーカ１０の間に人体検出部２０を配置している場合には、２つのスピーカ１０の間の距離するデータを記憶しておけばよい。
位相調整部３１では、複数のスピーカ１０からの放音到達時間が同一となるようにスピーカ１０からの音の遅れ時間を調整する。音圧調整部３２では、複数のスピーカ１０からの音量が音場中心位置で同じとなるようにそれぞれのスピーカ１０の音圧レベルを調整する。最適聴取範囲調整部３３では、最適聴取範囲決定部６０で決定された最適聴取範囲の広さとなるようにスピーカ１０からの放音を調整する。
サラウンドオーディオ入力部７１では、オーディオ機器やサラウンド放送などのデジタルサラウンドオーディオ信号が入力され、デコーダ７２では、サラウンドオーディオ入力部７１で入力されたデジタルサラウンドオーディオ信号を、スピーカ１０の数に合わせたシステムの信号に復号する。
【００１３】
人体検出処理部４０では、一人の聴取者の位置だけでなく、複数の聴取者のそれぞれの位置を判別することができる。人体検出処理部４０には、ユニット化した人体検出部２０の検出領域に対応させた初期設定値が記憶されている。すなわち、人体検出部２０からのそれぞれのサーモパイル素子２１、２２、２３、２４、２５の検出領域までの距離と方向に関するデータを記憶している。
【００１４】
音場決定部５０では、人体検出処理部４０において、一人の聴取者、すなわち一つの検出領域で人体を検出した場合には、その領域についてあらかじめ設定している位置を音場中心位置として決定する。また、音場決定部５０では、隣り合う２つの検出領域で聴取者を検出した場合には、隣り合う２つの検出領域の間の位置を音場中心位置と決定する。また、音場決定部５０では、隣り合う３つの検出領域で聴取者を検出した場合には、中心の検出領域の位置を音場中心位置と決定する。
【００１５】
最適聴取範囲決定部６０では、一つの検出領域で人体を検出した場合と、複数の検出領域で人体を検出した場合とで最適聴取範囲の広さを変更する。また、最適聴取範囲決定部６０では、複数の検出領域で人体を検出した場合に、それぞれの領域の位置関係に応じても最適聴取範囲の広さを変更する。例えば、隣り合う２つの検出領域で聴取者を検出した場合には、最適聴取範囲決定部６０では、検出領域が一つの場合よりも最適聴取範囲を広く設定する。また、２つの検出領域で聴取者を検出した場合でも、隣り合う２つの検出領域の場合よりも、隣り合わない２つの検出領域の場合を、最適聴取範囲を広く設定する。
【００１６】
本実施例における音場制御装置は、人体検出部２０からの入力が発生しない時間をカウントするタイマー部７３を備えており、タイマー部７３において所定の時間をカウントすると、機器のスイッチ７４をオフすることでスピーカ１０からの放音を停止する。なお、機器のスイッチ７４に代えてボリュームによる音量低減でもよく、消音機能を作動させることが好ましい。
なお、本実施例における音場制御装置は、視聴領域の温度を検出するサーミスタ７５を有することで、サーモパイル素子２１、２２、２３、２４、２５に対する温度補正を行い、室温上昇などに伴う誤検出を防止することができる。
【００１７】
次に、本実施例における音場制御装置でのサラウンド調整方法について説明する。
まず、図２から図１０を用いて、音場決定部５０と最適聴取範囲決定部６０での決定方法について説明する。図において、「Ａ」は、サーモパイル素子２１が検出するＡ領域を、「Ｂ」は、サーモパイル素子２２が検出するＢ領域を、「Ｃ」は、サーモパイル素子２３が検出するＣ領域を、「Ｄ」は、サーモパイル素子２４が検出するＤ領域を、「Ｅ」は、サーモパイル素子２５が検出するＥ領域を示している。そして「０」は聴取者を検出していないことを表し、「１」は聴取者を検出していることを表している。また、「方向指定」は、音場決定部５０によって決定する音場中心位置を、「最適聴取範囲」は、最適聴取範囲決定部６０によって決定する最適聴取範囲の広さを表している。ここで「最適聴取範囲」における「ｓｍａｌｌ」「ｍｉｄ」「ｗｉｄｅ」は、最適聴取範囲の広さを示しており、「ｓｍａｌｌ」が最も狭い最適聴取範囲、「ｗｉｄｅ」が最も広い最適聴取範囲、「ｍｉｄ」は「ｓｍａｌｌ」と「ｗｉｄｅ」との間の最適聴取範囲である。
【００１８】
図２は、いずれか一つのサーモパイル素子２１、２２、２３、２４、２５が聴取者を検出した場合のサラウンド調整方法である。すなわち、聴取者が一人の場合である。この場合には、聴取者の存在する方向を音場中心位置とし、最適聴取範囲は最も狭い「ｓｍａｌｌ」とする。
図３は、隣り合う２つの領域で聴取者を検出した場合のサラウンド調整方法である。
例えば、サーモパイル素子２４でＤ領域の聴取者を、サーモパイル素子２５でＥ領域の聴取者を検出した場合には、音場中心位置をＤ領域とＥ領域の間とする。また、最適聴取範囲は、聴取者が一人の場合と比較して広い「ｍｉｄ」の範囲とする。
なお、隣り合うＡ領域とＢ領域、更に隣り合うＤ領域とＥ領域のそれぞれに聴取者が存在する場合には、音場中心位置を中心のＣ領域とするとともに、最適聴取範囲は最も広い「ｗｉｄｅ」の範囲とする。
図４は、隣り合う３つの領域で聴取者を検出した場合のサラウンド調整方法である。
例えば、サーモパイル素子２３でＣ領域の聴取者を、サーモパイル素子２４でＤ領域の聴取者を、サーモパイル素子２５でＥ領域の聴取者を検出した場合には、音場中心位置をＤ領域とする。また、最適聴取範囲は、最も広い「ｗｉｄｅ」の範囲とする。
図５は、隣り合う４つの領域で聴取者を検出した場合のサラウンド調整方法である。
例えば、サーモパイル素子２２でＢ領域の聴取者を、サーモパイル素子２３でＣ領域の聴取者を、サーモパイル素子２４でＤ領域の聴取者を、サーモパイル素子２５でＥ領域の聴取者を検出した場合には、音場中心位置をＣ領域とＤ領域の間とする。また、最適聴取範囲は、最も広い「ｗｉｄｅ」の範囲とする。
図６は、隣り合う５つの領域で聴取者を検出した場合のサラウンド調整方法である。
この場合には、５つの領域の中心であるＣ領域を音場中心位置とし、最適聴取範囲は、最も広い「ｗｉｄｅ」の範囲とする。
【００１９】
図７は、隣り合わない２つの領域で聴取者を検出した場合のサラウンド調整方法である。
例えば、サーモパイル素子２３でＣ領域の聴取者を、サーモパイル素子２５でＥ領域の聴取者を検出した場合には、音場中心位置をＣ領域とＥ領域との間にあるＤ領域とする。また、サーモパイル素子２２でＢ領域の聴取者を、サーモパイル素子２５でＥ領域の聴取者を検出した場合には、音場中心位置をＢ領域とＥ領域との間にあるＣ領域又はＤ領域とする。最適聴取範囲は、「ｗｉｄｅ」の範囲とする。なお、聴取者が一人の場合と比較して広い「ｍｉｄ」の範囲としてもよい。
図８は、３名を検出した場合のサウンド調整方法である。
隣り合う２つの領域と、この２つの領域から離れた領域で聴取者を検出した場合には、この隣り合う２つの領域から離れた領域の聴取者を対象外とし、隣り合う２つの領域で決定する。
例えば、サーモパイル素子２２でＢ領域の聴取者を、サーモパイル素子２４でＤ領域の聴取者を、サーモパイル素子２５でＥ領域の聴取者を検出した場合には、音場中心位置をＤ領域とＥ領域の間とする。また、最適聴取範囲は、「ｍｉｄ」の範囲とする。
なお、隣り合わない３つの領域で聴取者を検出した場合には、例えば、サーモパイル素子２１でＡ領域の聴取者を、サーモパイル素子２３でＣ領域の聴取者を、サーモパイル素子２５でＥ領域の聴取者を検出した場合には、音場中心位置を中心のＣ領域とし、最適聴取範囲は、「ｗｉｄｅ」の範囲とする。
図９は、隣り合う３つの領域と、この３つの領域から離れた領域で聴取者を検出した場合のサラウンド調整方法である。この場合には、この隣り合う３つの領域から離れた領域の聴取者を対象外とし、隣り合う３つの領域の中心とする。
例えば、サーモパイル素子２１でＡ領域の聴取者を、サーモパイル素子２３でＣ領域の聴取者を、サーモパイル素子２４でＤ領域の聴取者を、サーモパイル素子２５でＥ領域の聴取者を検出した場合には、音場中心位置をＤ領域とし、最適聴取範囲は、「ｗｉｄｅ」の範囲とする。
なお、例えば、サーモパイル素子２１でＡ領域の聴取者を、サーモパイル素子２２でＢ領域の聴取者を、サーモパイル素子２３でＣ領域の聴取者を、サーモパイル素子２５でＥ領域の聴取者を検出した場合には、音場中心位置をＢ領域とし、最適聴取範囲は、「ｗｉｄｅ」の範囲とする。
図１０は、全てのサーモパイル素子２１、２２、２３、２４、２５が聴取者を検出しない場合であり、この状態をタイマー部７３で所定時間カウントすることで、機器のスイッチをオフとするか、ボリュームの音量を低減する。
【００２０】
図１１を用いて、音場決定部５０に基づく位相調整部３１と音圧調整部３２での調整方法について説明する。
位相調整部３１は、それぞれのスピーカ１０と聴取者との距離の差による音の遅れ時間（位相）を調整している。
ここでは、２つのスピーカ１０を用いた場合を示し、左のスピーカ１０を「Ｌ」、右のスピーカ１０を「Ｒ」とする。
音場決定部５０によって決定された音場中心位置にある仮想聴取者の位置と左のスピーカ１０との距離と、この仮想聴取者の位置と右のスピーカ１０との距離との差をｄとし、音速をｖとすると、ｄ／ｖが、仮想聴取者の位置によって生じる左右のスピーカ１０からの音の遅延時間（ｔ）となる。図では、仮想聴取者の位置がＡ領域の場合の遅延時間を「ｔａ」、仮想聴取者の位置がＢ領域の場合の遅延時間を「ｔｂ」仮想聴取者の位置がＤ領域の場合の遅延時間を「ｔｄ」仮想聴取者の位置がＥ領域の場合の遅延時間を「ｔｅ」として表している。また、仮想聴取者の位置がＡ領域とＢ領域の間の場合の遅延時間を「ｔ（ａ、ｂ）」のように表している。なお、仮想聴取者の位置がＣ領域の場合には、２つのスピーカ１０から等距離であるので遅延時間は生じない。
音場決定部５０によって決定された音場中心位置にある仮想聴取者の位置と左のスピーカ１０との距離と、この仮想聴取者の位置と右のスピーカ１０との距離との差による音量（音圧レベル）の違いをｌｄＢとする。図では、仮想聴取者の位置がＡ領域の場合の音圧レベルの違いを「ｌａ」、仮想聴取者の位置がＢ領域の場合の音圧レベルの違いを「ｌｂ」仮想聴取者の位置がＤ領域の場合の音圧レベルの違いを「ｌｄ」仮想聴取者の位置がＥ領域の場合の音圧レベルの違いを「ｌｅ」として表している。また、仮想聴取者の位置がＡ領域とＢ領域の間の場合の音圧レベルの違いを「ｌ（ａ、ｂ）」のように表している。なお、仮想聴取者の位置がＣ領域の場合には、２つのスピーカ１０から等距離であるので音圧レベルの違いは生じない。
なお、本実施例では複数のサーモパイル素子として３つ以上の素子を用いることが有効であると説明したが、２つのサーモパイル素子を用いて実質的に３カ所の視聴領域を設定することもできる。例えば２つのサーモパイル素子が、それぞれ単独の検出領域を持たせるとともに共通の検出領域を持たせることによって３カ所の視聴領域を検出できる。
また、本実施例では、サーモパイル素子を用いて説明したが、その他の赤外線センサなどの人感センサを用いることもできる。更には、画像データから特徴的な輪郭や人体部位、色調を認識することで視聴者の顔などを認識する人体認識手段を用いてもよい。
【産業上の利用可能性】
【００２１】
本発明は、一般家庭の他、集会場や教室などの領域でも利用できる。
【符号の説明】
【００２２】
１０  スピーカ
２０  人体検出部
２１、２２、２３、２４、２５  サーモパイル素子
３０  サラウンド調整部
３１  位相調整部
３２  音圧調整部
３３  最適聴取範囲調整部
４０  人体検出処理部
５０  音場決定部
６０  最適聴取範囲決定部
７３  タイマー部
７５  サーミスタ
【図１】
2010268288.tif 000003
【図２】
2010268288.tif 000004
【図３】
2010268288.tif 000005
【図４】
2010268288.tif 000006
【図５】
2010268288.tif 000007
【図６】
2010268288.tif 000008
【図７】
2010268288.tif 000009
【図８】
2010268288.tif 000010
【図９】
2010268288.tif 000011
【図１０】
2010268288.tif 000012
【図１１】
2010268288.tif 000013